(57)【要約】【課題】内周チューブと外周チューブ、及び両者をつなぐスラブを構成要素とするダブルチューブ構造架構において、階高を増大させることなく、短柱化の問題を回避しながら、同一階においてバルコニーの配置状態を切り替えることを可能にする。【解決手段】複数本の内周柱１の柱列からなる内周チューブ２と、複数本の外周柱４の柱列からなる外周チューブ５、及び内周チューブ２と外周チューブ５をつなぐスラブ６を持つダブルチューブ構造の架構において、  外周柱４を平面上、複数本の外周柱を含む一部の領域である基準部の領域４Ａに配置される基準部柱４１と、基準部の領域４Ａを除く中間部の領域４Ｂに配置される中間部柱４２とに区分し、基準部柱４１と中間部柱４２のいずれか一方に順梁７を接続し、他方に順梁と逆梁の中間の断面形状をした中間梁８を接続する。【選択図】図１
2010285797.tif 000002
【特許請求の範囲】
【請求項１】
複数本の内周柱の柱列からなる内周チューブと、複数本の外周柱の柱列からなる外周チューブ、及び前記内周チューブと前記外周チューブをつなぐスラブを持つダブルチューブ構造の架構において、
前記外周柱は平面上、複数本の外周柱を含む一部の領域である基準部に配置される基準部柱と、この基準部柱の領域を除く領域に配置される中間部柱とに区分され、前記基準部柱と前記中間部柱のいずれか一方に順梁が接続し、他方に順梁と逆梁の中間の断面形状をした中間梁が接続していることを特徴とするダブルチューブ構造架構。
【請求項２】
前記基準部は平面上の隅角部の領域であることを特徴とする請求項１に記載のダブルチューブ構造架構。
【請求項３】
前記基準部柱に前記順梁が接続し、前記中間部柱に前記中間梁が接続していることを特徴とする請求項１、もしくは請求項２に記載のダブルチューブ構造架構。
【請求項４】
前記順梁と前記中間梁は同一階のスラブに接続していることを特徴とする請求項１乃至請求項３のいずれかに記載のダブルチューブ構造架構。
【請求項５】
同一の柱間の異なる階に前記順梁と前記中間梁があることを特徴とする請求項１乃至請求項４のいずれかに記載のダブルチューブ構造架構。
【発明の詳細な説明】
【技術分野】
【０００１】
本発明は内周チューブと外周チューブ、及び両者をつなぐスラブを構成要素とするダブルチューブ構造架構に関するものである。
【背景技術】
【０００２】
複数本の内周柱の柱列からなる内周チューブと、複数本の外周柱の柱列からなる外周チューブを有するダブルチューブ構造は外周チューブのみからなるシングルチューブ架構より内周チューブが付加される分、耐震性能が向上する。結果として構造壁が不要になる等、平面計画上の自由度が高まる利点があるため、集合住宅用の高層建築物（超高層を含む）に採用されることが多い（特許文献１〜４参照）。
【０００３】
一方、外周柱に接続する梁を途中階で順梁と逆梁（中間梁）に切り替えることで、バルコニーを外周柱の内側（屋内側）に取り込むことも、外周側（屋外側）へ張り出させることも可能であるから、同一の構造物に順梁と逆梁を併用することも行われる（特許文献５、６参照）。逆梁の区間では外周チューブ（梁）の位置より外周側へスラブを連続させて張り出させることができないのに対し、順梁の区間では外周チューブ（梁）の位置より外周側へスラブを張り出させることが可能であることによる。
【０００４】
但し、特許文献５のように上層階の梁を順梁にする形式を採用した場合、順梁の階ではバルコニーを外周チューブ（梁）の外側に配置し、逆梁の階ではバルコニーを外周チューブ（梁）の内側に配置することの切り替えが可能であるものの（特許文献５の図２〜図５）、同一階においてバルコニーの配置状態を切り替えることはできない。
【０００５】
同一階に、梁の内側に位置するバルコニーと外側に位置するバルコニーの２種類のバルコニーを配置する目的で、順梁と逆梁を混在させようとすれば、図７、特許文献６の第２図に示すように例えば隣接する柱間単位で、順梁と逆梁を交互に配列させることが必要になる。
【０００６】
隣接する柱間に順梁と逆梁を配置する形式もあるが（特許文献７参照）、この架構形式では柱間で順梁と逆梁を一部において重複させる必要があるため（第３欄第２７行〜第３３行）、柱間単位でバルコニーの形式を切り替えることはできない。特許文献７では柱間（１スパン）の内、順梁の区間でスラブを外周柱の外周側へ張り出させることができるに留まり、逆梁の区間ではバルコニーを内側に配置せざるを得ず、順梁と逆梁が重複した区間にはバルコニーを配置することができないため、バルコニーの配置には適しない。
【先行技術文献】
【特許文献】
【０００７】
【特許文献１】特開２００２−３１７５６５号公報（請求項１、段落００１０〜００２６、図１）
【特許文献２】特開２００５−６８７９４号公報（請求項１、段落００２０〜００２６、図１、図２）
【特許文献３】特開２００６−１６９７４１号公報（請求項１、段落０００８〜００１５、図１）
【特許文献４】特開２００６−２７４６１６号公報（請求項１、段落００２４〜００４８、図１〜図３）
【特許文献５】特開２００５−６０９７４号公報（請求項２、段落００１６〜００１９、図２〜図５）
【特許文献６】特公平５−２５９７７号公報（請求項１、第２図、第４図、第５図）
【特許文献７】特許第２６０３２４２号公報（請求項１、第１図、第２図、第４図）
【発明の概要】
【発明が解決しようとする課題】
【０００８】
図７、特許文献６の第２図に示す架構形式の場合、ある柱４１（４２）に着目すれば、柱４１（４２）の一方側には順梁７が接続し、同一線上の他方側には逆梁が接続することで、図９−（ａ）に示すように柱のせん断スパンＨ１はある階の順梁の下端のレベルから下階の逆梁の上端のレベルまでの区間になり、柱のせん断スパン比が低下する。結果として柱が短柱化する傾向が強まるため、せん断破壊し易くなり、柱・梁架構の設計が不能になることがある。図７には本発明の実施形態を示す図８に入れた符号と共通する符号（４１〜４３、７）を入れてある。
【０００９】
特許文献５では順梁と逆梁（中間梁）を異なる階に配置し、階高を増大させることで（段落００１８）、短柱化の問題を回避しているが、階高を増大させることは階数が制限されることになるため、容積率を低下させる不利益を伴い、階高に制限がある設計条件下では採用することができない。また順梁と逆梁（中間梁）を異なる階に配置することは、同一階においてバルコニーの配置状態を切り替えることにはならない。
【００１０】
本発明は上記背景より、階高を増大させることなく、短柱化の問題を回避しながら、同一階においてバルコニーの配置状態を切り替えることを可能にするダブルチューブ構造架構を提案するものである。
【課題を解決するための手段】
【００１１】
請求項１に記載の発明のダブルチューブ構造架構は、複数本の内周柱の柱列からなる内周チューブと、複数本の外周柱の柱列からなる外周チューブ、及び前記内周チューブと前記外周チューブをつなぐスラブを持つダブルチューブ構造の架構において、
前記外周柱が平面上、複数本の外周柱を含む一部の領域である基準部に配置される基準部柱と、この基準部柱の領域を除く領域に配置される中間部柱とに区分され、前記基準部柱と前記中間部柱のいずれか一方に順梁が接続し、他方に順梁と逆梁の中間の断面形状をした中間梁が接続していることを構成要件とする。
【００１２】
基準部の領域４Ａの範囲はある階における床全体の平面形状、あるいは図１に示す平面計画に応じて任意に設定されることから、基準部柱４１と中間部柱４２の範囲と本数も床全体の平面形状や平面計画に応じて任意に設定される。すなわち、外周チューブ５を構成する外周柱４のいずれかの領域に位置する柱が基準部柱４１で、他が中間部柱４２であるとして、外周柱４が基準部柱４１と中間部柱４２とに明確に区分される訳ではなく、基準部柱４１と中間部柱４２の範囲と本数は床の平面形状や平面計画毎に相違する。
【００１３】
床の平面形状は例えば図１に示す矩形状（方形状）や三角形、五角形等の多角形状（凸多角形状、または凹多角形状）等の他、図１４に示す円形状、楕円形状、あるいは多角形状が曲線化したような形状等、任意の形状に形成される。いずれの形状の場合も、内周柱（内周チューブ）と外周柱（外周チューブ）に包囲された帯状の領域を周方向に見たとき、複数本の外周柱を含むいずれか一部の領域が基準部４Ａで、それ以外の領域が中間部の領域４Ｂになる。基準部の領域４Ａと中間部の領域４Ｂは床全体では基本的に周方向に交互に配列することになる。
【００１４】
床の平面形状が例えば矩形状である場合には、内周柱（内周チューブ）と外周柱（外周チューブ）に包囲された帯状の領域は平面上の隅角部の領域と、隅角部以外の中間部の領域とに区分される。この場合、平面上の隅角部の領域が基準部の領域４Ａになる（請求項２）。
【００１５】
床の平面形状が矩形状の場合において、例えば図１−（ａ）に示すように基準部（図面での隅角部）の領域４Ａ内の隅角部に隅柱４３が配置される場合、基準部（隅角部）の領域４Ａ内では基準部柱４１は少なくともこの１本の隅柱４３を含むが、この隅柱４３とそれに２方向に隣接する２本の柱（側柱）までを含む場合と、各方向に付き、２本以上の柱（側柱）を含む場合がある。基準部柱４１は少なくとも各方向に付き、１スパン、２本の柱を含む。基準部の領域４Ａには図１−（ｂ）に示すように隅柱４３が配置されない場合もある。
【００１６】
基準部柱４１（隅柱４３を含む）、あるいは基準部柱４１、４１（４１、４３）間には図８−（ａ）に示すように順梁７が接続する場合と、（ｂ）に示すように中間梁８が接続する場合があり、基準部柱４１に順梁７が接続した場合には図８−（ａ）に示すように中間部柱４２に中間梁８が接続し（請求項３）、基準部柱４１に中間梁８が接続した場合には（ｂ）に示すように中間部柱４２に順梁７が接続する。中間梁８は図１０−（ｂ）に示すように梁の成方向中途にスラブが接続した形態をし、スラブの上端（上面）と下端（下面）のそれぞれから梁型が突出した断面形状をすることで、図１０−（ａ）に示す逆梁と順梁を組み合わせた形態の断面形状をする。
【００１７】
中間梁８はスラブの上面から梁型が立ち上がる点では逆梁と同じであり、前記のように逆梁の区間では外周チューブ５（逆梁）の位置より外周側へスラブ６を連続させた状態で張り出させることができないから、中間梁８の区間では外周チューブ５（中間梁８）の位置より外周側へスラブ６を連続させて張り出させることはできない。スラブ６を連続させるとは、原則としてスラブ６の上端（上面）を同一面にしたまま連続させることを言うが、図２−（ａ）、（ｂ）に示すようにスラブ６の上端にスラブ厚以内の傾斜、または段差がある場合も含む。
【００１８】
これに対し、順梁７の区間では外周チューブ５（順梁７）の位置より外周側へスラブ６を連続させて張り出させることが可能であるから、基準部柱４１に順梁７が接続した場合（図１１）には、基準部柱４１の領域、すなわち平面上の基準部の領域４Ａに、梁の位置から外周（屋外）側へ張り出す張り出し（持ち出し）バルコニー９２を配置することが可能である。基準部柱４１に中間梁８が接続した場合（図１２）には、基準部柱４１以外の領域、すなわち平面上の基準部を除いた領域（中間部の領域４Ｂ）に張り出しバルコニー９２を配置することが可能である。
【００１９】
本発明（請求項１）では外周チューブ５を構成する外周柱４が基準部柱４１と中間部柱４２に区分され、基準部柱４１と中間部柱４２のいずれか一方に順梁７が接続し、他方に中間梁８が接続することで、同一階のスラブ６が、順梁７が接続する区間と中間梁８が接続する区間とに区分される。このため、図８−（ａ）、（ｂ）に示すように同一階のスラブ６に順梁７と中間梁８の２種類の梁を混在させることで（請求項４）、２種類の形態のバルコニーを同一階に配置することが可能になる。
【００２０】
上記のようにスラブに逆梁が接続した場合と同様、中間梁８が接続した区間では中間梁８の位置で梁型が立ち上がることから、スラブ６の上端を中間梁８の位置まで連続させることができるに留まる。これに対し、順梁７が接続した区間では順梁７の位置を越えてスラブ６の上端を連続させることができるため、スラブ６が順梁７から張り出す張り出し（持ち出し）バルコニー９２を形成することが可能である。結果的に外周柱４が基準部柱４１と中間部柱４２に区分され、基準部柱４１と中間部柱４２のいずれか一方に順梁７が接続し、他方に中間梁８が接続することで、２種類の形態のバルコニーを同一階に配置することが可能になる。
【００２１】
中間梁８の内側に形成されるバルコニーは外周柱４の内側に形成されることで、内周柱１側（屋内側）と中間梁８の長さ方向両側の三方が壁や部屋等に包囲された、居住者に安心感を与える空間（ベイバルコニー９１）として形成される。張り出し（持ち出し）バルコニー９２は順梁７の外周側（屋外側）にまで張り出すことで、居住者に眺望を優先させる空間として形成される。同一階に２種類の形態のバルコニーを配置できることで、平面計画上の自由度が向上し、集合住宅に適した平面計画を採用することが可能になる。
【００２２】
図８−（ａ）に示すように基準部柱４１に順梁７が接続し、中間部柱４２に中間梁８が接続した場合（請求項３）には、図１１−（ａ）に示すように基準部の領域４Ａに張り出しバルコニー９２を配置することができる。この張り出しバルコニー９２は図１−（ａ）、（ｂ）に示すように基準部の領域４Ａに２方向に連続して形成され、特に基準部の領域４Ａでの眺望が優先的に確保されるため、基準部の領域４Ａが独立した住戸として形成された場合、基準部の住戸に中間部の領域４Ｂより格段に高い付加価値を付与することが可能である。この場合、中間部の領域４Ｂには壁等に包囲されたベイバルコニー９１が配置される。
【００２３】
請求項３の場合に、スラブ６の平面形状が方形状（正方形状）である場合には、基準部の領域４Ａがスラブ６の四隅に位置するため、基準部の領域４Ａに張り出しバルコニー９２が２方向に連続して形成されることで、スラブ６の平面形状は四隅が外側へ膨出した形になる。
【００２４】
図８−（ｂ）に示すように基準部柱４１に中間梁８が接続し、中間部柱４２に順梁７が接続した場合には、図１２−（ａ）に示すように中間部の領域４Ｂに張り出しバルコニー９２を配置することができる。基準部の領域４Ａにはベイバルコニー９１が配置される。この場合、中間部の領域４Ｂに位置する住戸は２方向に連続したバルコニーを持つことができないものの、高い眺望を確保することができるため、基準部の領域４Ａに位置する住戸にない付加価値が付与される。
【００２５】
中間梁８は前記の通り、図１０−（ｂ）に示すように梁の成方向中途にスラブが接続した形態をすることで、図１０−（ａ）に示す逆梁と順梁を組み合わせた形態の断面形状をする。この形態より中間梁８は（ａ）に示す一定の梁成ｈ０を有し、一定のスラブ厚ｄを有するスラブ６が接続した逆梁との対比では、（ｂ）に示すようにスラブ６の上端から梁の上端までの距離ｈ２を逆梁におけるスラブ６の上端から梁の上端までの距離ｈ１より小さくすることができる（ｈ２＜ｈ１）。
【００２６】
従って図１０−（ａ）、（ｃ）から分かるようにスラブ６の上端と下端のレベルを揃えて逆梁と中間梁８が柱に接続した状態を対比すれば、図９−（ｂ）に示すようにスラブ６の上端から梁の上端までの距離の差（ｈ１−ｈ２）分だけ、柱のせん断スパンＨ２を増加させ、短柱化の回避に寄与することができる。同一階のスラブに順梁と逆梁が接続した従来の架構の立面を図７に、その一部を図９−（ａ）に示している。図１０−（ｂ）ではスラブ６の上端から中間梁８の上端までの距離（ｈ２）とスラブ６の下端から中間梁８の下端までの距離（ｈ３）を等しくしているが、必ずしもその必要はなく、それぞれの寸法ｈ２、ｈ３は自由に設定される。
【００２７】
図９−（ａ）に示すように柱の一方側（図中、左側）に順梁が接続し、同一線上の他方側（右側）に逆梁が接続したときの柱のせん断スパンＨ１はある階における順梁の下端レベルから下階における逆梁の上端レベルまでの区間になり、上下の梁の内法間距離Ｈ０からスラブ厚ｄを引いた大きさになっている（Ｈ１＝Ｈ０−ｄ）。
【００２８】
これに対し、図９−（ｂ）に示すように柱の一方側に順梁７が接続し、同一線上の他方側に中間梁８が接続したときの柱のせん断スパンＨ２はある階における順梁７の下端レベルから下階における中間梁８の上端レベルまでの区間になる。この区間の長さＨ２は（ａ）に示す例のせん断スパンＨ１より、（ｈ１−ｈ２）だけ大きい（Ｈ２＞Ｈ１）。
【００２９】
このように同一柱の同一線上に順梁７と中間梁８が接続した場合に（図９−（ｂ））、順梁と逆梁が接続する場合（図９−（ａ））よりせん断スパンを大きくすることができることで（Ｈ２＞Ｈ１）、階高を増大させることなく、柱の短柱化の問題を回避することが可能になる。短柱化の問題が回避されることで、柱がせん断破壊する可能性が低下するため、許容される（短柱化が問題にならない）範囲で、外周柱４（外周チューブ５）と２種類の梁からなる架構を自由に設計することが可能になり、それに伴い、平面計画上の自由度も向上する。
【００３０】
柱の短柱化の問題が回避される結果、図１３−（ａ）、（ｂ）に示すように同一の柱間の異なる階に順梁７と中間梁８を架設すること（請求項５）が可能になる等、立面計画上の自由度も向上する。同一の柱間とは、ある階において隣接する基準部柱（隅柱４３を含む）４１、４１間、または隣接する基準部柱４１と中間部柱４２間を指し、いずれかの階において隣接する基準部柱４１、４１間、または隣接する基準部柱４１と中間部柱４２間に順梁７が架設された場合に、その上階、もしくは下階における同一の隣接する柱４１、４１（４１、４２）間に中間梁８が架設されることになる。
【００３１】
図１３−（ａ）は相対的に下層階側において隣接する柱４１、４１（４１、４２）間に中間梁８が架設され、上層階側において隣接する同一の柱４１、４１（４１、４２）間に順梁７が架設された場合の例を示す。（ｂ）はある任意の複数階において隣接する柱（４１、４２）間に順梁７が架設され、その上下階において隣接する同一の柱４１、４１（４１、４２）間に中間梁８が架設された場合の例を示す。（ｂ）はまた、立面上の一部の範囲に順梁７が架設され、その周囲に順梁７を取り囲むように中間梁８が架設された場合の例でもある。
【００３２】
図１３−（ａ）、（ｂ）のいずれの場合も、階高Ｈを一定に保ったまま、各階の隣接する柱４１、４１（４１、４２）間に順梁７と中間梁８を自由に架設することが可能になっている。
【発明の効果】
【００３３】
外周チューブを構成する外周柱が平面上の基準部の領域に配置される基準部柱と、基準部の領域を除く領域に配置される中間部柱とに区分され、基準部柱と中間部柱のいずれか一方に順梁が接続し、他方に順梁と逆梁の中間の断面形状をした中間梁が接続することで、順梁の区間に梁の位置から外周（屋外）側へ張り出す張り出し（持ち出し）バルコニーを配置し、中間梁の区間に三方を壁等に囲まれたベイバルコニーを配置することができるため、同一階に２種類のバルコニーを配置することが可能である。
【００３４】
また柱に接続する中間梁が梁の成方向中途にスラブが接続した形態をすることで、柱に順梁と逆梁が接続する場合よりせん断スパンを大きくすることができるため、階高を増大させることなく、柱の短柱化の問題を回避することができる。
【図面の簡単な説明】
【００３５】
【図１】本発明のダブルチューブ構造架構における外周柱と内周柱、及び外周柱に接続する順梁と中間梁の関係を示した基準階（一般階）の平面図であり、（ａ）は平面上の基準部に隅柱がある場合、（ｂ）は隅柱がない場合である。
【図２】（ａ）は外周柱とそれに接続する順梁との関係を示した図１−（ａ）のｘ−ｘ線断面図、（ｂ）は外周柱とそれに接続する中間梁との関係を示した図１−（ａ）のｙ−ｙ線断面図である。
【図３】図１−（ａ）のａ−ａ線断面図である。
【図４】図１−（ａ）のｂ−ｂ線断面図である。
【図５】図１−（ａ）のｃ−ｃ線矢視図（立面図）である。
【図６】図１−（ａ）の平面を有する建物（集合住宅）の外観を示した斜視図（透視図）である。
【図７】柱に順梁と逆梁が接続した従来の柱・梁の架構を示した立面図である。
【図８】柱に順梁と中間梁が接続した本発明の柱・梁の架構を示した立面図であり、（ａ）は基準部柱に順梁が接続し、中間部柱に中間梁が接続した場合、（ｂ）は基準部柱に中間梁が接続し、中間部柱に順梁が接続した場合である。
【図９】（ａ）は図７に示す架構の一部を示した立面図、（ｂ）は図８−（ａ）、（ｂ）のいずれかに示す架構の一部を示した立面図である。
【図１０】（ａ）は逆梁を示した断面図、（ｂ）は中間梁を示した断面図、（ｃ）は（ａ）に示す逆梁のスラブとスラブのレベルを揃えたときの中間梁を示した断面図である。
【図１１】（ａ）は図８−（ａ）に示す架構例のスラブと梁の関係を示した斜視図、（ｂ）は（ａ）のＡ−Ａ線断面図、（ｃ）は（ａ）のＢ−Ｂ線断面図である。
【図１２】（ａ）は図８−（ｂ）に示す架構例のスラブと梁の関係を示した斜視図、（ｂ）は（ａ）のＡ−Ａ線断面図、（ｃ）は（ａ）のＢ−Ｂ線断面図である。
【図１３】同一の柱間の異なる階に順梁と中間梁がある架構の一部を示した立面図であり、（ａ）は相対的に下層階側に中間梁が架設され、上層階側に順梁が架設された場合、（ｂ）は立面上の一部の範囲の梁が順梁で、その周囲に中間梁が架設された場合である。
【図１４】床の平面形状が円形状であるダブルチューブ構造架構の構成例を示した平面図である。
【発明を実施するための形態】
【００３６】
以下、図面を用いて本発明を実施するための最良の形態を説明する。
【００３７】
図１−（ａ）、（ｂ）は複数本の内周柱１の柱列からなる内周チューブ２と、複数本の外周柱４の柱列からなる外周チューブ５、及び内周チューブ２と外周チューブ５をつなぐスラブ６を持つダブルチューブ構造の架構例を示す。（ａ）は平面上の基準部に外周柱４を構成する隅柱４３がある場合、（ｂ）は隅柱４３がない場合である。図１−（ａ）、（ｂ）はダブルチューブ構造架構の基準階（一般階）の平面（床）を示している。
【００３８】
図１は床の平面形状が矩形状（方形状）である場合の、基準部の領域４Ａと基準部の領域４Ａを除く中間部の領域４Ｂの配置例を示すが、床の平面形状とそれに伴う各領域４Ａ、４Ｂの配置状態は任意である。図１に示すように床が方形状の場合、例えば基準部の領域４Ａと中間部の領域４Ｂを平面上の隅角部とそれ以外の領域とに区分することが可能であるが、図１４に示すように床の平面形状が円形である場合には、床は例えば周方向に基準部の領域４Ａと中間部の領域４Ｂが交互に配列するように区分される。いずれの形状の場合も、ダブルチューブ構造架構は内周チューブ２と外周チューブ５、及びスラブ６から構成される。
【００３９】
外周柱４は平面上の基準部の領域４Ａに配置される基準部柱４１と、中間部の領域４Ｂに配置される中間部柱４２とに区分され、基準部柱４１と中間部柱４２のいずれか一方に順梁７が接続し、他方に順梁と逆梁の中間の断面形状をした中間梁８が接続する。図１−（ａ）、（ｂ）はいずれも基準部柱４１に順梁７が接続し、中間部柱４２に中間梁８が接続した場合の例を示すが、図８−（ｂ）、図１２に示すように基準部柱４１に中間梁８が接続し、中間部柱４２に順梁７が接続することもある。基準部の領域４Ａと中間部の領域４Ｂの境界に位置する柱は基準部柱４１と中間部柱４２を兼ねることになる。
【００４０】
平面上の基準部の領域４Ａとそれ以外の中間部の領域４Ｂはスラブ６の平面形状によって決まる内周チューブ２及び外周チューブ５の配置によって決まる。内周柱１の柱列と外周柱４の柱列は内周チューブ２と外周チューブ５が互いに同心角、もしくは同心円等、相似形の関係になるように配列する。内周柱１の柱列と外周柱４の柱列は直線状、円弧状等、規則的に配置されるが、必ずしも等間隔に配列する必要はない。内周柱２の各方向の柱列と外周柱４の各方向の柱列はそれぞれの方向の耐震性能を確保するための構面を構成する。
【００４１】
図１−（ａ）、（ｂ）に示す平面形状例の場合において、例えば外周チューブ５と内周チューブ２に包囲された領域の内、内周柱１の柱列の延長線上に中柱３が配置される場合には、この中柱３と外周柱４（基準部柱４１）とで区画（包囲）された領域が基準部の領域４Ａになる。中柱３が配置されない場合には、内周柱２の柱列の延長線と外周柱４とで区画された領域が基準部の領域４Ａになる。基準部の領域４Ａを除く領域が中間部の領域４Ｂになる。
【００４２】
平面上の全領域は基準部の領域４Ａと中間部の領域４Ｂ毎に、あるいは各領域４Ａ、４Ｂの区別なく、戸境壁によって任意の平面形状と平面積を持つ領域（住戸）に仕切られる。図１−（ａ）、（ｂ）中、内周チューブ２と外周チューブ５を結ぶ実線が戸境壁を示している。
【００４３】
ダブルチューブ構造の架構は内周チューブ２（内周柱１）と外周チューブ５（外周柱４）、及びスラブ６によって成立するから、内周チューブ２（内周柱１）と外周チューブ５（外周柱４）間（構面に直交する方向）には必ずしも梁が架設される必要はない。また図１に示すように中柱３が配置される場合にも、内周チューブ２と外周チューブ５の各柱列間の中柱３、３間（構面に平行な方向）にも必ずしも梁が架設される必要はない。
【００４４】
ダブルチューブ構造架構が内周チューブ２（内周柱１）と外周チューブ５（外周柱４）、及びスラブ６によって成立することで、戸境壁の配置位置を自由に変更可能にしておけば、ダブルチューブ構造架構はＳＩ（スケルトンインフィル）住宅に対応可能な構造体を構成する。
【００４５】
上記の通り、図１−（ａ）、（ｂ）は基準部柱４１に順梁７が接続し、中間部柱４２に中間梁８が接続した場合の例を示している。中間梁８が接続した区間（中間部の領域４Ｂ）のスラブ６は外周チューブ５より外周（屋外）側へ連続して張り出すことができないことから、中間梁８が接続した区間におけるスラブ６の屋外寄りの領域は図２−（ｂ）、図４に示すように内周柱１（屋内）側と中間梁８の長さ方向両側の三方が壁や部屋等に包囲されたベイバルコニー９１を構成する。
【００４６】
図２−（ｂ）は図１−（ａ）のｙ−ｙ線の断面図、図４は図１−（ａ）のｂ−ｂ線の断面図であり、共に中間梁８を横切る断面を示している。図４は特に切断線（ｂ−ｂ線）方向に１住戸を横断する断面を示している。図２−（ｂ）に示すように外周柱４（中間部柱４２）に中間梁８が接続した領域では外周柱４と中間梁８の屋内側にベイバルコニー９１が位置する。
【００４７】
これに対し、順梁７が接続した区間（基準部の領域４Ａ）のスラブ６は外周チューブ５より外周（屋外）側へ連続して張り出すことができるため、順梁７が接続した区間におけるスラブ６の屋外寄りの領域は図２−（ａ）、図３に示すように外周チューブ５（外周柱４）から屋外側へ張り出す張り出し（持ち出し）バルコニー９２を構成する。
【００４８】
図２−（ａ）は図１−（ａ）のｘ−ｘ線の断面図、図３は図１−（ａ）のａ−ａ線の断面図であり、共に順梁７を横切る断面を示している。図３は特に切断線（ａ−ａ線）方向に２住戸に跨る断面を示している。図２−（ａ）に示すように外周柱４（基準部柱４１）に順梁７が接続した領域では外周柱４と順梁７の屋外側に張り出しバルコニー９２が位置する。
【００４９】
図５は図１−（ａ）をｃ−ｃ線方向に見た立面を示している。ここに示す隅柱４３を含め、左側から３本目の外周柱４（基準部柱４１）までは基準部の領域４Ａに位置し、この３本目の外周柱４（基準部柱４１）から右側は中間部の領域４Ｂに位置する。ここに示すように基準部の領域４Ａにおけるスラブ６には順梁７が接続し、中間部の領域４Ｂにおけるスラブ６には中間梁８が接続することで、左側から３本目の外周柱４（基準部柱４１）には順梁７と中間梁８が接続している。左側から３本目の外周柱４（基準部柱４１）には構面外方向を向く壁（袖壁）１０が接続している。図５に示す袖壁１０付きの基準部柱４１は図８−（ａ）において隅柱４３を含め、左側から２本目の基準部柱４１に相当している。
【００５０】
この左側から３本目の外周柱４（基準部柱４１）のせん断スパンはその外周柱４の右側に接続する中間梁８の上端レベルから、その上階における左側に接続する順梁７の下端レベルまでの区間になるが、図５に示す例では同一階における左側の順梁７の下端レベルと、右側の中間梁８の下端レベルに極端な差がないため、図示しない左側から４本目の外周柱４のせん断スパンと大きな差はない。前記したように図１０−（ｂ）における中間梁８の、スラブ６から上端までの距離（ｈ２）と下端までの距離（ｈ３）は自由に設定されることから、これらの距離の調整により、順梁７と中間梁８が同一構面上に（同一構面内で）接続する柱４１、４２のせん断スパンも自由に調整される。
【００５１】
従って図５において左側から４本目の外周柱４のせん断スパンが短柱化しない程度の十分な距離を有していれば、全外周柱４が短柱化しない程度のせん断スパンを有することになる。または左側から３本目の外周柱４が短柱化しない程度のせん断スパンが距離を有していれば、その他の外周柱４も短柱化しないせん断スパンを有することになる。
【００５２】
図６は図１−（ａ）に示す平面を有する建物（集合住宅）の外観を示した透視図（パース）である。ここに示すように基準部の領域４Ａと中間部の領域４Ｂの屋外側には形態の異なるバルコニー（ベイバルコニー９１と張り出しバルコニー９２）が位置することから、基準部の領域４Ａと中間部の領域４Ｂは異なる外観を呈している。
【００５３】
図８−（ａ）は隅柱４３を含む基準部柱４１に順梁７が接続し、中間部柱４２に中間梁８が接続した架構の立面を、（ｂ）は基準部柱４１に中間梁８が接続し、中間部柱４２に順梁７が接続した架構の立面を示す。図８−（ａ）、（ｂ）のいずれの例においても全階の階高Ｈは一定で、各階のスラブ６の厚さ、及びレベルも一定になっているため、図８より、階高Ｈとスラブ厚、及びレベルを統一しながらも、同一階のスラブ６に順梁７と中間梁７を隣接する柱４１、４１（４１、４２）間単位で自由に接続することが可能であることが分かる。
【００５４】
図８−（ａ）に示す架構におけるスラブ６と梁（順梁７と中間梁８）の関係を図１１−（ａ）に、図８−（ｂ）に示す架構におけるスラブ６と梁（順梁７と中間梁８）の関係を図１２−（ａ）にそれぞれ示す。
【００５５】
図１１−（ａ）の場合、順梁７と中間梁８は同一線上（同一構面上）に位置し、基準部の領域４Ａと中間部の領域４Ｂとでスラブ６の天端面にレベル差はないが、（ａ）のＡ−Ａ線、Ｂ−Ｂ線断面図である（ｂ）、（ｃ）の対比で分かるように中間梁８の下端のレベルは順梁７の下端のレベルより上に位置し、中間梁８の上端のレベルはスラブ６の天端面より上に位置する。従って順梁７の上下端のレベルと中間梁８の上下端のレベルは相違しながらも、張り出しバルコニー９２の上面（上端）のレベルとベイバルコニー９１の上面（上端）のレベルは揃えられる（同一面上に位置する）。
【００５６】
図１２−（ａ）の場合も、順梁７と中間梁８は同一線上（同一構面上）に位置し、基準部の領域４Ａと中間部の領域４Ｂとでスラブ６の天端面にレベル差はなく、（ａ）のＡ−Ａ線、Ｂ−Ｂ線断面図である（ｂ）、（ｃ）に示すように中間梁８の下端のレベルは順梁７の下端のレベルより上に位置し、中間梁８の上端のレベルはスラブ６の天端面より上に位置する。結果として順梁７の上下端のレベルと中間梁８の上下端のレベルは相違しながらも、張り出しバルコニー９２の上面（上端）のレベルとベイバルコニー９１の上面（上端）のレベルは揃えられる（同一面上に位置する）。
【００５７】
図１１の場合、基準部の領域４Ａと中間部の領域４Ｂの境界位置にはそれぞれの側に架設される順梁７と中間梁８が接続する基準部柱４１が配置され、中間梁８の長さ方向の一部には中間部柱４２が配置される。図１２の場合は基準部の領域４Ａと中間部の領域４Ｂの境界位置に基準部柱４１が配置され、順梁７の長さ方向の一部に中間部柱４２が配置される。
【００５８】
図１３−（ａ）、（ｂ）は同一の隣接する柱４１、４１（４１、４２）間の異なる階に順梁７と中間梁８が架設された架構の一部を示す。（ａ）は４階（３層）分の柱・梁の架構において下層側の２階のスラブ６に中間梁８が接続し、上層側の２階のスラブ６に順梁７が接続した場合を示している。（ｂ）は５階（４層）分の柱・梁の架構において、上下に隣接する任意の２階の内、横方向に隣接する２スパンのスラブ６に順梁７が接続し、それ以外のスラブ６に中間梁８が接続した場合を示している。
【００５９】
図１３−（ａ）、（ｂ）のいずれの例においても全階の階高Ｈは一定で、各階のスラブ６の厚さ、及びレベルも一定になっているため、図１３より、階高Ｈとスラブ厚、及びレベルを統一しながらも、同一の隣接する柱４１、４１（４１、４２）間の異なる階単位で順梁７と中間梁８を自由に接続することが可能であることが分かる。
【００６０】
図１４は床の平面形状が円形状である場合のダブルチューブ構造架構の構成例を示している。この例では内周チューブ２と外周チューブ５とで挟まれた領域が床を構成するが、ここでは床全体を周方向に複数（偶数）の領域に区分し、基準部の領域４Ａと中間部の領域４Ｂを交互に配置している。具体的には基準部の領域４Ａを４本の柱（基準部柱４１）から構成し、中間部の領域４Ｂを５〜７本の柱（中間部柱４２）から構成しているが、この場合も基準部の領域４Ａと中間部の領域４Ｂの境界に位置する柱は基準部柱４１と中間部柱４２を兼ねる。
【００６１】
前記のように原則として内周チューブ２を構成する内周柱１の柱列と、外周チューブ５を構成する外周柱４の柱列は規則的に、ほぼ等間隔に配置されるが、耐震壁その他の耐震要素の配置によっては必ずしも規則的に配列する必要はない。
【符号の説明】
【００６２】
１……内周柱、２……内周チューブ、３……中柱、
４……外周柱、４１……基準部柱、４２……中間部柱、４３……隅柱、
４Ａ……基準部の領域、４Ｂ……中間部の領域、
５……外周チューブ、
６……スラブ、７……順梁、８……中間梁、
９１……ベイバルコニー、９２……張り出しバルコニー、
１０……壁（袖壁）。
【図１】
2010285797.tif 000003
【図２】
2010285797.tif 000004
【図３】
2010285797.tif 000005
【図４】
2010285797.tif 000006
【図５】
2010285797.tif 000007
【図６】
2010285797.tif 000008
【図７】
2010285797.tif 000009
【図８】
2010285797.tif 000010
【図９】
2010285797.tif 000011
【図１０】
2010285797.tif 000012
【図１１】
2010285797.tif 000013
【図１２】
2010285797.tif 000014
【図１３】
2010285797.tif 000015
【図１４】
2010285797.tif 000016